(57)【要約】【課題】微酸性電解水の多量の微細霧粒を空気中に長時間漂わせることにより、居住環境内の新型コロナウイルスを確実かつ安価に殺菌・除菌することのできるウイルス除去装置を提供する。【解決手段】ウイルス除去装置１は、塩素含有の微酸性電解Ｐを収容する霧粒発生容器１７と、霧粒発生容器１７内に設置されていて微酸性電解水Ｐから霧粒ＰＰ１を発生させる超音波発生機１４と、霧粒発生容器１７内の上部空間１７Ｃと容器外とを連通するように霧粒発生容器１７の容器壁に形成された空気取入口１７Ｄと、容器外の空気を空気取入口１７Ｄから上部空間１７Ｃ内に送り込む第１送風機１３と、上部空間１７Ｃ内に送り込まれた空気および霧粒ＰＰ１を容器外に放出するために霧粒発生容器１７に設けられた霧粒放出口２０と、を備えている。【選択図】図３
0003235010.tif 000002
【実用新案登録請求の範囲】
【請求項１】
塩素含有の微酸性電解水を収容する霧粒発生容器と、
前記霧粒発生容器内に設置されていて前記微酸性電解水から霧粒を発生させる超音波発生機と、
前記霧粒発生容器内の上部空間と容器外とを連通するように前記霧粒発生容器に設けられた空気取入口と、
前記容器外の空気を前記空気取入口から前記上部空間内に送り込む第１送風機と、
前記上部空間内に送り込まれた空気および前記霧粒を前記容器外に放出するために前記霧粒発生容器に設けられた霧粒放出口と、
を備えて成ることを特徴とするウイルス除去装置。
【請求項２】
前記霧粒および前記空気を略水平方向ないし斜め上向きに放出するように前記霧粒放出口が配置されるとともに、前記霧粒放出口から放出された前記霧粒および前記空気を持ち上げる方向に送風する第２送風機が前記霧粒放出口の下方位置に配備されていることを特徴とする請求項１に記載のウイルス除去装置。
【請求項３】
前記空気取入口が前記霧粒発生容器の天板部に形成され、管下端を前記空気取入口と連結された導気管が前記天板部に略垂直向きに立設され、前記導気管に前記第１送風機が配備されることにより、前記導気管を通って前記霧粒発生容器内の上部空間内に送り込まれた空気が前記微酸性電解水の液面に当たるように構成されていることを特徴とする請求項１または請求項２に記載のウイルス除去装置。
【請求項４】
計時を行なうとともに、予め設定された時間または時刻に基づいて少なくとも前記超音波発生機を駆動または停止させるタイマー機構を備えていることを特徴とする請求項１から請求項３までのいずれか一項に記載のウイルス除去装置。
【考案の詳細な説明】
【技術分野】
【０００１】
本考案は、新型コロナウイルスやインフルエンザウイルスなどを殺菌・除菌する装置に係り、更に詳しくは人のいる環境をウイルス除去状態にし得るウイルス除去装置に関するものである。
【背景技術】
【０００２】
一昨年末から世界的に広がった新型コロナウイルスは、日本国内では現在も衰える状況にならず蔓延している。一方で、下記の非特許文献１に示されるように、希塩酸を電気分解して生成した次亜塩素酸を主成分とするｐＨ５．０〜６．５の水溶液（本考案では微酸性電解水と称する）に関する安全性試験（JIS  K0106）が実施され、塩素濃度５４ｐｐｍの微酸性電解水の安全性が認められたことが古くから知られている。
このような微酸性電解水は、下記の非特許文献２に示されるように、令和２年６月２５日に経済産業省所管の独立行政法人製品評価技術基盤機構主催の有効性評価に関する検討委員会において、新型コロナウイルス（ＣＯＶＩＤ−１９） に対して有効であることが報告されている。このときに用いられた微酸性電解水は次亜塩素酸を含んでおり、塩素濃度が５４．５ｐｐｍでｐＨが５．１６である。
そして、現在は、下記の非特許文献３に示されるように、上記の微酸性電解水をプラボトルに収容した手動式ポンプ付きのハンドスプレーが市販されており、家庭や職場その他で汎用されている。
【先行技術文献】
【特許文献】
【０００３】
【非特許文献１】インターネットエクスプローラブラウザに表示された「微酸性電解水ミストのラットに対する暴露試験論文」（応用薬理、76巻、117-122、（2009））（http://www.cml-office.org/wwatch/claim/case02/file1.pdf）
【非特許文献２】インターネットエクスプローラブラウザに表示された「第５回新型コロナウイルスに対する代替消毒手法の有効性評価に関する検討委員会議事概要」（https://www.nite.go.jp/data/000113084.pdf）
【非特許文献３】インターネットエクスプローラブラウザに表示された「次亜塩素酸水ハンドスプレーの商品説明」（http://ykc.tokyo/lp/lp001/?gclid=EAIaIQobChMIz52C-vDc8AIVzsCWCh32ew_nEAAYASAAEgKwU_D_BwE）
【考案の概要】
【考案が解決しようとする課題】
【０００４】
しかしながら、上記した非特許文献３の次亜塩素酸水ハンドスプレーは、手動ポンプによりノズルから微酸性電解水の霧粒を噴霧するものであって、ノズルから噴射された霧粒は比較的粒径の大きなものが多く、それらのほとんどは即時ないし十数秒足らずで床上に落下する。そのために、微酸性電解水の霧粒が長時間空中に漂って、空中に浮遊していた新型コロナウイルスを殺菌・除菌するといったことができなかったのである。
一方で、このハンドスプレーから噴霧された霧粒のなかには、ごく微量であるが微細なものが含まれており、それらは比較的長時間空中に浮遊する。しかしながら、そのように微細な霧粒はごく少量しか含まれていないため、空中の新型コロナウイルスを確実に除去するためには、絶え間なく多くの噴霧回数や噴霧量が必要になるから、手動操作の手間および経済性を鑑みると現実的でない。
【０００５】
本考案は、上記した従来の問題点に鑑みてなされたものであって、微酸性電解水の多量の微細霧粒を空中に長時間漂わせることにより、居住環境内の新型コロナウイルスを確実かつ安価に殺菌・除菌することのできるウイルス除去装置の提供を目的とする。
【課題を解決するための手段】
【０００６】
上記目的を達成するために、本考案に係るウイルス除去装置は、塩素含有の微酸性電解水を収容する霧粒発生容器と、霧粒発生容器内に設置されていて微酸性電解水の霧粒を発生させる超音波発生機と、霧粒発生容器内の上部空間と容器外とを連通するように霧粒発生容器に設けられた空気取入口と、容器外の空気を空気取入口から上部空間内に送り込む第１送風機と、上部空間内に送り込まれた空気および霧粒を容器外に放出するために霧粒発生容器に設けられた霧粒放出口と、を備えて成ることを特徴とする構成にされている。
【０００７】
また、請求項１の構成において、霧粒および空気を略水平方向ないし斜め上向きに放出するように霧粒放出口が配置されるとともに、霧粒放出口から放出された霧粒および空気を持ち上げる方向に送風する第２送風機が霧粒放出口の下方位置に配備されていることを特徴とするものである。
【０００８】
そして、請求項１または請求項２の構成において、空気取入口が霧粒発生容器の天板部に形成され、管下端を空気取入口と連結された導気管が天板部に略垂直向きに立設され、導気管に第１送風機が配備されることにより、導気管を通って霧粒発生容器内の上部空間内に送り込まれた空気が微酸性電解水の液面に当たるように構成されていることを特徴とするものである。
【０００９】
更に、請求項１〜４の構成において、計時を行なうとともに、予め設定された時間または時刻に基づいて少なくとも超音波発生機を駆動または停止させるタイマー機構を備えていることを特徴とするものである。
【考案の効果】
【００１０】
本考案に係るウイルス除去装置によれば、霧粒発生容器内の超音波発生機が微酸性電解水に作用して霧粒を発生させ、第１送風機が空気取入口から霧粒発生容器内に空気を送り込み、送り込まれた空気は、微細な霧粒を伴って霧粒放出口から器外に放出される。これにより、放出された微細な霧粒は、器外の空気中を長時間漂って新型コロナウイルスなどを確実に殺菌・除菌することができる。また、放出された霧粒はそれらのほとんどが微細であるので、ウイルス除去のために少量の微酸性電解水で足りるから、安価で済む。尚、本明細書で云う微細な霧粒とは、粒径が１５μｍ以下の液粒を指している。
【００１１】
また、霧粒および空気を略水平方向ないし斜め上向きに放出するように配置された霧粒放出口の下方位置に、第２送風機が配備されているものでは、第２送風機からの送風が、霧粒放出口から放出された霧粒および空気を更に持ち上げる。従って、霧粒放出口から空中に放出された微細な霧粒を比較的遠方にかつ長い時間設置環境に漂わせることができる。
【００１２】
そして、霧粒発生容器の天板部に形成された空気取入口に連結される導気管が天板部に略垂直向きに立設されるとともに、導気管に第１送風機が配備されているものでは、第１送風機により導気管を流通した空気は、霧粒発生容器の空気取入口から上部空間内に吹き込まれ、周囲の空気や霧粒を巻き込んだまま、微酸性電解水の液面に略直角に当たる。このとき、比較的粒径の大きな霧粒が微酸性電解水の液面に叩きつけられて捕捉されるので、微細な霧粒を多量に空気中に漂わせることができる。
【００１３】
更に、タイマー機構を備えるものでは、タイマー機構の計時に基づいて少なくとも超音波発生機を駆動または停止させるので、予め決められた時間または時刻に微酸性電解水を噴霧させたり停止させたりすることができる。これにより、ウイルス除去効果を低下させないようにして適切な設置室内環境を保つことができる。
【図面の簡単な説明】
【００１４】
【図１】本考案の一実施形態に係るウイルス除去装置の外観図である。
【図２】前記ウイルス除去装置の装置本体を示した図であって、（ａ）は側面図、（ｂ）は背面図である。
【図３】前記ウイルス除去装置の動作を説明するための一部側断面を含む説明図である。
【図４】前記ウイルス除去装置の要部を構成する部品を示した概略配線図である。
【図５】本考案の別の実施形態に係るウイルス除去装置の装置本体を示す概略側断面図である。
【図６】本考案の更に別の実施形態に係る前記ウイルス除去装置の装置本体を示す概略側断面図である。
【図７】本考案の他の実施形態に係る前記ウイルス除去装置の装置本体を示す概略側断面図である。
【考案を実施するための形態】
【００１５】
以下、本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係るウイルス除去装置の外観図、図２は前記ウイルス除去装置の装置本体を示した図であって、（ａ）は側面図、（ｂ）は背面図、図３は前記ウイルス除去装置の動作を説明するための一部側断面を含む説明図である。
各図において、この実施形態に係るウイルス除去装置１は、主要部品を備えた装置本体２と、微酸性電解水Ｐを貯留した貯留タンク５と、貯留タンク５からの微酸性電解水Ｐを装置本体２に送るための導液管４と、から構成されている。
【００１６】
前記した装置本体２は、箱型容器である本体ケーシング３を備えている。本体ケーシング３の前板部３Ａには、後でそれぞれ詳述する、霧粒放出管２４の霧粒放出口２０を装着される開口部３Ｆ、および第２送風機２３用の空気吹出口２１が形成されている。本体ケーシング３の背板部３Ｂには、空気取入口２２が形成され、電源スイッチ１２が取り付けられ、プラグ１６付きの交流電線１５が引き出されている。本体ケーシング３内は、ケーシング内上部に架け渡された台板３Ｃにより、上側の設置室３Ｅと下側の箱内空間３Ｄとに仕切られている。設置室３Ｅ内には、後でそれぞれ説明する、スイッチング電源６、１２Ｖ電源７、タイマー機構８、リレーモジュール９、液ポンプ１０がそれぞれ配備されている。
【００１７】
本体ケーシング３の箱内空間３Ｄの底部には、霧粒発生容器１７が設置されている。この霧粒発生容器１７は密閉状の箱型容器であり、その天板部１７Ａの容器壁には、霧粒発生容器１７内の上部空間１７Ｃと容器外（本体ケーシング３内）とを連通する、空気取入口１７Ｄおよび空気排出口１７Ｅが形成されている。この霧粒発生容器１７は、液ポンプ１０により貯留タンク５から汲み上げられた微酸性電解水Ｐを送液管１９を通して収容するようになっている。
霧粒発生容器１７の天板部１７Ａ上には、導気管１８が略垂直向きに立設されている。導気管１８の管下端は、霧粒発生容器１７の空気取入口１７Ｄと連通するように天板部１７Ａに固設されている。そして、導気管１８の管上端の開口部１８Ａには第１送風機１３が配備されている。導気管１８の管長Ｔ１は例えば１０ｃｍにされており、管内径は例えば２ｃｍにされている。第１送風機１３は消費電力が１．３２Ｗで回転数が６２００ＲＰＭのものが用いられる。この第１送風機１３の駆動により、器外の空気が導気管１８を通って霧粒発生容器１７内の上部空間１７Ｃ内に送り込まれ、その空気が微酸性電解水Ｐの液面ＰＡに略直角の角度で衝突するようになっている。
【００１８】
空気排出口１７Ｅを囲む位置の天板部１７Ａには、霧粒放出管２４の一端が連結されている。霧粒放出管２４の他端は霧粒放出口２０となっている。この霧粒放出口２０は、本体ケーシング３の前板部３Ａに形成されている開口部３Ｆに接続されることにより本体ケーシング３のケーシング外に開口している。この霧粒放出管２４は、その霧粒放出口２０を略水平方向ないし前方斜め上に向けるような形状（例えば円弧形状）および配置が採用されている。そして、本体ケーシング３の前板部３Ａにおいて霧粒放出管２４の霧粒放出口２０近傍の下方位置には、空気吹出口２１が形成されている。空気吹出口２１の近傍位置の前板部３Ａ内には、第２送風機２３が配備されている。第２送風機２３は消費電力が０．４８Ｗで回転数が７８００ＲＰＭのものが使用されている。この第２送風機２３は、霧粒放出管２４の霧粒放出口２０から放出される霧粒ＰＰ１および空気を持ち上げる方向（矢印Ｂ１方向）に空気を吹き出すためのものである。
【００１９】
そして、超音波発生機１４は、微酸性電解水Ｐ中に浸漬された状態で霧粒発生容器１７内の底面に設置されている。超音波発生機１４は、振動子１４Ａと、交流電線１５からの電源により振動子１４Ａを駆動させるアダプター１４Ｂと、を備えている。この超音波発生機１４は、振動子１４Ａの直上位置の液面ＰＡから微酸性電解水Ｐの霧粒ＰＰ１，ＰＰ２を発生させるようになっている。各図中で、霧粒ＰＰ１は粒径が１５μｍφ以下の微細なものを示し、霧粒ＰＰ２は粒径が１５μｍφを超える大粒のものを示している。
【００２０】
前記した貯留タンク５は微酸性電解水Ｐを貯留するもので内容量は例えば１０Ｌにしてある。微酸性電解水Ｐはキャップを開いた給水口から貯留タンク５内に供給される。微酸性電解水Ｐは、例えば森永製菓社製の微酸性電解水生成装置「商品名：ピュアスター」を用い希塩酸を原料として電気分解により生成した次亜塩素酸を有効成分とするものを用いた。用いた微酸性電解水Ｐの塩素濃度は２５〜３０ｐｐｍであり、ｐＨは５．０〜５．５であった。
【００２１】
そして、このウイルス除去装置１では、図４に示すように、プラグ１６および交流電線１５からの１００Ｖ交流電源が電源スイッチ１２を介してスイッチング電源６に入電されるように電気配線がなされている。スイッチング電源６は１００Ｖ交流電源を１２Ｖ直流電源に変換して液ポンプ１０、タイマー機構８およびリレーモジュール９に給電するように、これらの間に電気配線がなされている。そして、交流電線１５の１００Ｖ交流電源は、１２Ｖ電源７により１２Ｖ直流電源に変換されて第１送風機１３および第２送風機２３に給電される一方で、超音波発生機１４のアダプター１４Ｂにも供給され２４Ｖ直流電源に変換されて使用される。これらを実行するように電気配線がなされている。
【００２２】
タイマー機構８は常に計時を行なっているが、利用者等により外部入力器２７から、例えば５分間ごと（所定時刻）に２０秒間（所定時間）が予め入力されＣＰＵ２６に設定されている。これらの計時データ、所定時間および所定時刻は逐次に数値表示器２５に表示される。タイマー機構８は動作電圧が直流１２Ｖ、信号電圧が４〜２０Ｖ、静電流が２０ｍＡ、動作電流が５０ｍＡに設定されており、設定可能時間が０．０１秒〜９９９時間となっている。このタイマー機構８は、設定された所定時間および所定時刻に係る信号をリレーモジュール９に出力し、リレーモジュール９がその指令信号を超音波発生機１４のアダプター１４Ｂに出力し、これに基づいてアダプター１４Ｂが振動子１４Ａを振動させるようになっている。そして、リレーモジュール９は、フロートスイッチ１１からの信号に基づき液ポンプ１０を駆動・停止させるようになっている。このリレーモジュール９は１チャンネル式であって静止電流が５ｍＡで最大電流が８０ｍＡであり、トリガーは電流が２〜５ｍＡ、低トリガー電圧が０〜４Ｖ、高トリガー電圧が４．５〜１２Ｖに設定されている。
【００２３】
液ポンプ１０は、その吸込側が導液管４を介して貯留タンク５の底部と連通している。液ポンプ１０の吐出側は送液管１９を介して霧粒発生容器１７の上部空間１７Ｃ内と連通している。この液ポンプ１０は使用電圧が直流１２Ｖで使用電流が４００ｍＡのものであり、平均流量が１９〜１００ｍＬ／分の性能を有している。
【００２４】
フロートスイッチ１１は、使用電圧が１２Ｖで最大電流値が０．５Ａのものであり、上部空間１７Ｃ内に中空配置されていて微酸性電解水Ｐが所定液位に達したときの検知信号をリレーモジュール９に出力するようになっている。すなわち、フロートスイッチ１１は微酸性電解水Ｐの液面ＰＡを検出し、超音波発生機１４の振動子１４Ａから液面ＰＡまでの液深Ｈが所定液深（例えば５ｍｍ）を下回ると、リレーモジュール９にポンプ駆動信号を出力する。一方、液深Ｈが所定液深に達すると、リレーモジュール９にポンプ停止信号を出力するようになっている。
【００２５】
上記のように構成された本実施形態のウイルス除去装置１の作用を、図１〜図４を用いて説明する。ここでは、液ポンプ１０により貯留タンク５から汲み上げられた微酸性電解水Ｐが、予め霧粒発生容器１７の底部に収容されている状態から説明する。
まず、タイマー機構８が所定時刻または所定時間を検知したとき、リレーモジュール９が超音波発生機１４および第１送風機１３を駆動させる。第１送風機１３の駆動により、ケーシング外の空気が本体ケーシング３の空気取入口２２から箱内空間３Ｄ内に吸入され（矢印Ｃ）、その空気は導気管１８内を流通して霧粒発生容器１７の空気取入口１７Ｄ内に垂直方向（矢印Ｄ方向）に流入する。このように流入した空気は微酸性電解水Ｐの液面ＰＡに略直角に当たって水平方向に向きを変え、その後上昇して天板部１７Ａで向きを変え（矢印Ｆ）、下降流（矢印Ｄ）と合流して循環する。一方で、駆動した超音波発生機１４は振動子１４Ａを振動させて超音波を発し、直上位置の液面ＰＡから微酸性電解水Ｐの霧粒ＰＰ１，ＰＰ２を発生させる。このような微細な霧粒ＰＰ１と大粒の霧粒ＰＰ２は混在し空気に同伴して循環し、空気が下降するときに大粒の霧粒ＰＰ２が微酸性電解水Ｐの液面ＰＡに叩きつけられて捕捉される。従って、ほとんど微細な霧粒ＰＰ１だけを含んだ空気が霧粒放出管２４へ導出される。霧粒放出管２４の空気および微細な霧粒ＰＰ１は、霧粒放出口２０から設置室内にやや上向き（矢印Ｂ方向）に吹き出される。このとき、霧粒放出口２０の下方位置の空気吹出口２１から第２送風機２３の駆動による上向き（矢印Ｂ１方向）の送風があるので、霧粒放出口２０から吹き出された空気および微細な霧粒ＰＰ１は、空気吹出口２１からの送風により持ち上げられる。これによって、微細な霧粒ＰＰ１は遠方まで到達して広く拡散し長時間浮遊するのである。
【００２６】
この場合、タイマー機構８は５分間隔（所定時刻）で２０秒間（所定時間）が経過するまで第１送風機１３および超音波発生機１４に係る信号をリレーモジュール９に出力する。リレーモジュール９の駆動指令信号出力機能により、前記した２０秒間で１．５ｇの微細な霧粒ＰＰ１が霧粒放出口２０から放出され、放出された微細な霧粒ＰＰ１はあたかも燻煙のように、すなわち矢印Ｂのように立ち登って、設置室内に広がっていき長時間浮遊する。そうして、本考案者が鋭意実験を重ねた結果、８畳程度の部屋であれば１．５ｇ（２０秒間の放出量）の微細な霧粒ＰＰ１で新型コロナウイルスなどの除去を行えることが分かった。
【００２７】
上記したように、この実施形態に係るウイルス除去装置１によれば、超音波発生機１４の駆動により発生した微細な霧粒ＰＰ１が、第１送風機１３の駆動により霧粒発生容器１７内に送風された空気とともに霧粒放出口２０から設置室内に放出されるので、設置室内の空気中を長時間漂って新型コロナウイルスなどを確実に殺菌・除菌することができる。その場合、第１送風機１３の駆動により導気管１８から霧粒発生容器１７の上部空間１７Ｃ内に略直角に吹き込まれた空気は、周囲の空気や霧粒ＰＰ１，ＰＰ２を巻き込んだまま、微酸性電解水Ｐの液面ＰＡに略直角に当たる。これにより、大粒の霧粒ＰＰ２が微酸性電解水Ｐの液面ＰＡに叩きつけられて捕捉されるので、微細な霧粒ＰＰ１を多量に空気中に残すことができる。
【００２８】
そして、霧粒放出口２０からやや上向きに放出された霧粒ＰＰ１および空気は、第２送風機２３の駆動により空気吹出口２１から吹き出された送風によって更に持ち上げられる。従って、霧粒放出口２０から空中に放出された微細な霧粒ＰＰ１を比較的遠方にかつ長い時間、設置室内に漂わせることができる。更に、タイマー機構８の計時に基づいてリレーモジュール９が超音波発生機１４および第１送風機１３の駆動または停止をさせるので、予め決められた所定時間または所定時刻に微酸性電解水Ｐの微細な霧粒ＰＰ１を噴射させたり停止させたりできる。これにより、ウイルス除去効果を低下させないよう、設置室内を適切に保つ運転を実施することができる。
【００２９】
尚、上記では、管長がＴ１（＝１０ｃｍ）である導気管１８を有する装置本体２を採用したウイルス除去装置の例を示したが、本考案はそれに限られない。例えば、図５に示すような装置本体２ａを採用したウイルス除去装置も本考案に含まれる。その装置本体２ｂでは、導気管１８の管長Ｔ１よりも短い管長Ｔ２を有する導気管１８ａが、導気管１８に替えて天板部１７Ａに設けられている。その他の構成は、図３に示した装置本体２と同じである。導気管１８のように管長Ｔ１が１０ｃｍ以上である場合は、空気取入口１７Ｄから微酸性電解水Ｐの液面ＰＡに向って下降する空気の勢いが大きく、ほとんどの大粒の霧粒ＰＰ２を強く液面ＰＡに叩きつけて捕捉させるが、装置本体２ａにおける 導気管１８ａの管長Ｔ２は例えば５ｃｍと短いので、空気取入口１７Ｄから上部空間１７Ｃに下降する空気の勢いは小さく（矢印Ｄａ）、液面ＰＡで捕捉される霧粒ＰＰ２の量はいくぶん少なくなる。しかしながら、霧粒放出口２０から吹き出される微細な霧粒ＰＰ１の量は殺除菌を行なううえで支障はない。
【００３０】
また、上記では、導気管１８，１８ａを備えた装置本体２，２ａを例示したが、例えば図６に示すように、導気管１８，１８ａを持たない装置本体２ｂを採用したウイルス除去装置も本考案に含まれる。その装置本体２ｂでは、天板部１７Ａａに空気取入口１７Ｄがない替わりに、背板部１７Ｂａに空気取入口１７Ｄａが形成されていて、空気取入口１７Ｄａの近傍に第１送風機１３が配備されている。そして、上部空間１７Ｃ内の空気中には、超音波発生機１４の駆動により発生した微細な霧粒ＰＰ１および大粒の霧粒ＰＰ２が充満している。そこで、第１送風機１３による水平方向の送風が空気取入口１７Ｄａから上部空間１７Ｃ内に送り込まれると、霧粒ＰＰ１，ＰＰ２を含む空気が霧粒放出管２４内を経て霧粒放出口２０から吹き出される。この場合、上部空間１７Ｃ内で大粒の霧粒ＰＰ２が微酸性電解水Ｐに捕捉されないので、霧粒放出口２０から空気とともに設置室内に吹き出され、比較的近い場所に落下する。しかしながら、この装置本体２ｂでも、殺除菌に必要な量の微細な霧粒ＰＰ１は放出されるので、近隣に落下する大粒の霧粒ＰＰ２は受容器や吸水シートを用意して捕集すればよい。
【００３１】
そして、上記では、本体ケーシング３の空気吹出口２１および第２送風機２３を備える装置本体２，２ａ，２ｂを例示したが、例えば図７に示すように、空気吹出口２１および第２送風機２３を持たない装置本体２ｃを採用したウイルス除去装置も本考案に含まれる。その装置本体２ｃでは、前板部３Ａａに空気吹出口２１および第２送風機２３のない本体ケーシング３ａ内に、図３に示したと同じ構成の霧粒発生容器１７などが配備されている。その装置本体２ｃにおいて、第１送風機１３が駆動すると、大粒の霧粒ＰＰ２が叩き落されて、微細な霧粒ＰＰ１を多く含む空気が霧粒放出口２０から設置室内に放出される。このとき、空気および微細な霧粒ＰＰ１はいったん斜め上向きに吹き出されるが、下方位置から持ち上げる送風がないので、やがて矢印Ｂａのように落下していく。但し、設置位置近辺のみに限定した殺除菌に用いるのであれば、支障はない。
【００３２】
以上に縷々説明してきたように、本考案は、上記した実施の形態に限定されるものではない。すなわち、本考案の分野における通常の知識を有する者であれば想到し得る、各種変形、修正を含む、本考案の要旨を逸脱しない範囲の設計変更があっても、本考案に含まれることは言うまでもない。
【符号の説明】
【００３３】
１    ウイルス除去装置
２，２ａ，２ｂ，２ｃ  装置本体
３，３ａ  本体ケーシング
１３  第１送風機
１４  超音波発生機
１７，１７ａ  霧粒発生容器
１７Ａ，１７Ａａ  天板部
１７Ｃ  上部空間
１７Ｄ，１７Ｄａ  空気取入口
１７Ｅ  空気排出口
１８，１８ａ  導気管
２０  霧粒放出口
２１  空気吹出口
２３  第２送風機
２４  霧粒放出管
Ｂ，Ｂａ，Ｂ１，Ｄ，Ｄａ，Ｅ，Ｆ  矢印
Ｐ    微酸性電解水
ＰＡ  液面
ＰＰ１  微細な霧粒
【図１】
0003235010.tif 000003
【図２】
0003235010.tif 000004
【図３】
0003235010.tif 000005
【図４】
0003235010.tif 000006
【図５】
0003235010.tif 000007
【図６】
0003235010.tif 000008
【図７】
0003235010.tif 000009